(57)【要約】【課題】本発明の目的は、広帯域無線通信システムにおいて資源割り当て情報メッセージのオーバーヘッドを減少させるための装置及び方法を提供することにある。また、本発明の他の目的は、広帯域無線通信システムにおいて特定領域の資源割り当て情報メッセージを周期的に送信することによって、ユーザデータの送信率を増大させるための装置及び方法を提供することにある。【解決手段】本発明の広帯域無線通信システムにおける基地局装置は、アップリンク制御領域割り当て情報を生成するか否かを判断するスケジューラと、前記スケジューラの判断に応じてアップリンク制御領域割り当て情報を生成する生成器と、を備える。【選択図】図３
2009543429.tif 000002
【特許請求の範囲】
【請求項１】
広帯域無線通信システムにおける基地局装置であって、
アップリンク制御領域割り当て情報を生成するか否かを判断するスケジューラと、
前記スケジューラの判断に応じてアップリンク制御領域割り当て情報を生成する生成器と、を備えることを特徴とする装置。
【請求項２】
前記スケジューラは、前記アップリンク制御領域の全体又は一部領域に対して生成するか否かを判断することを特徴とする請求項１に記載の装置。
【請求項３】
前記アップリンク制御領域は、レインジング（ｒａｎｇｉｎｇ）領域、高速フィードバック（ｆａｓｔ  ｆｅｅｄｂａｃｋ）領域、ＨＡＲＱ（Ｈｙｂｒｉｄ  Ａｕｔｏｍａｔｉｃ  Ｒｅｐｅａｔ  ｒｅＱｕｅｓｔ）応答領域、サウンディング（Ｓｏｕｎｄｉｎｇ）領域のうち、少なくとも一つを含むことを特徴とする請求項２に記載の装置。
【請求項４】
前記生成器は、予め設定された周期ごとに前記アップリンク制御領域割り当て情報を生成することを特徴とする請求項２に記載の装置。
【請求項５】
前記生成器は、前記アップリンク制御領域割り当て情報が変更されると、前記アップリンク制御領域割り当て情報を生成することを特徴とする請求項２に記載の装置。
【請求項６】
前記生成器は、前記アップリンク制御領域割り当て情報が変更されると、前記アップリンク制御領域割り当て情報が変更された時点から複数のフレーム区間の間に連続して前記アップリンク制御領域割り当て情報を生成することを特徴とする請求項５に記載の装置。
【請求項７】
前記生成器は、有効期間情報を含むアップリンク制御領域割り当て情報を生成することを特徴とする請求項２に記載の装置。
【請求項８】
前記有効期間情報は、前記アップリンク制御領域の全体又は一部に関するものであることを特徴とする請求項７に記載の装置。
【請求項９】
前記有効期間情報は、アップリンク制御領域割り当て情報に含まれるＣＩＤを介して表現されることを特徴とする請求項７に記載の装置。
【請求項１０】
前記生成器からのアップリンク制御領域割り当て情報を符号化する符号器と、
前記符号器からのデータを変調する変調器と、
前記変調器からのデータを予め決まった資源にマッピングするマッパーと、
ＩＦＦＴ（Ｉｎｖｅｒｓｅ  Ｆａｓｔ  Ｆｏｕｒｉｅｒ  Ｔｒａｎｓｆｏｒｍ）演算によりマッピングされたデータをベースバンド信号に変換するＯＦＤＭ変調器と、
前記ベースバンド信号をＲＦ（Ｒａｄｉｏ  Ｆｒｅｑｕｅｎｃｙ）帯域の信号に変換して送信する送信機とをさらに備えることを特徴とする請求項１に記載の装置。
【請求項１１】
広帯域無線通信システムにおける端末装置であって、
資源割り当てメッセージを受信する受信部と、
前記資源割り当てメッセージにアップリンク制御領域割り当て情報が含まれない場合、既格納されたアップリンク制御領域割り当て情報を維持し、前記資源割り当てメッセージに前記アップリンク制御領域割り当て情報が含まれる場合、前記既格納されたアップリンク制御領域割り当て情報を受信された資源割り当てメッセージに含まれたアップリンク制御領域割り当て情報に更新する解読部とを備えることを特徴とする装置。
【請求項１２】
前記アップリンク制御領域は、レインジング領域、高速フィードバック領域、ＨＡＲＱ応答領域、サウンディング領域のうち、少なくとも一つを含むことを特徴とする請求項１１に記載の装置。
【請求項１３】
前記アップリンク制御領域割り当て情報が含まれない場合、既格納されたアップリンク制御領域割り当て情報に応じてシグナルリングを行う送信部をさらに備えることを特徴とする請求項１１に記載の装置。
【請求項１４】
前記アップリンク制御領域割り当て情報が含まれる場合、前記受信された資源割り当てメッセージに含まれるアップリンク制御領域割り当て情報を利用してアップリンクシグナルリングを行う送信部をさらに備えることを特徴とする請求項１１に記載の装置。
【請求項１５】
前記アップリンク制御領域割り当て情報は、アップリンク制御領域割り当て情報の送信周期情報を含むことを特徴とする請求項１１に記載の装置。
【請求項１６】
前記アップリンク制御領域割り当て情報は、有効期間情報を含むことを特徴とする請求項１１に記載の装置。
【請求項１７】
前記有効期間情報は、アップリンク制御領域割り当て情報に含まれるＣＩＤ（Ｃｏｎｎｅｃｔｉｏｎ  ＩＤｅｎｔｉｆｉｅｒ）を介して表現されることを特徴とする請求項１５に記載の装置。
【請求項１８】
前記受信部は、アンテナを介して受信されるＲＦ帯域信号をベースバンド信号に変換するＲＦ受信機と、
ＦＦＴ（Ｆａｓｔ  Ｆｏｕｉｒｅｒ  Ｔｒａｎｓｆｏｒｍ）演算により前記ベースバンド信号を周波数領域データに変換するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器と、
前記周波数領域データのうち、前記資源割り当てメッセージがマッピングされたデータを復調する復調器と、
前記復調されたデータをデコード（Ｄｅｃｄｏｉｎｇ）して、前記資源割り当てメッセージを生成する復号化器とを備えることを特徴とする請求項１１に記載の装置。
【請求項１９】
広帯域無線通信システムにおける基地局の動作方法であって、
アップリンク制御領域割り当て情報を生成するか否かを判断する過程と、
前記生成の判断結果に応じて、アップリンク制御領域割り当て情報を生成する過程とを含むことを特徴とする方法。
【請求項２０】
前記判断過程は、前記アップリンク制御領域の全体又は一部に対して生成するか否かを判断することを特徴とする請求項１９に記載の方法。
【請求項２１】
前記アップリンク制御領域は、レインジング領域、高速フィードバック領域、ＨＡＲＱ応答領域、サウンディング領域のうち、少なくとも一つを含むことを特徴とする請求項１９に記載の方法。
【請求項２２】
前記生成過程は、予め設定された周期ごとに前記アップリンク制御領域割り当て情報を生成することを特徴とする請求項１９に記載の方法。
【請求項２３】
前記生成過程は、
前記アップリンク制御領域割り当て情報が変更されると、前記アップリンク制御領域割り当て情報を生成することを特徴とする請求項１９に記載の方法。
【請求項２４】
前記アップリンク制御領域割り当て情報は、変更された時点から複数のフレーム区間の間に連続して生成されることを特徴とする請求項２３に記載の方法。
【請求項２５】
前記アップリンク制御領域割り当て情報は、有効期間情報を含むことを特徴とする請求項１９に記載の方法。
【請求項２６】
前記有効期間情報は、前記アップリンク制御領域の全体又は一部に関するものであることを特徴とする請求項２５に記載の方法。
【請求項２７】
前記有効期間情報は、アップリンク制御領域割り当て情報に含まれるＣＩＤを介して表現されることを特徴とする請求項２６に記載の方法。
【請求項２８】
前記アップリンク制御領域割り当て情報を符号化する過程と、
符号化されたデータを変調する過程と、
変調されたデータを予め決まった資源にマッピングする過程と、
ＩＦＦＴ演算によりマッピングされたデータをベースバンド信号に変換する過程と、
前記ベースバンド信号をＲＦ帯域の信号に変換して送信する過程とをさらに含むことを特徴とする請求項１９に記載の方法。
【請求項２９】
広帯域無線通信システムにおける端末の動作方法であって、
資源割り当てメッセージが受信されると、前記資源割り当てメッセージにアップリンク制御領域割り当て情報が含まれているか否かを確認する過程と、
前記アップリンク制御領域割り当て情報が含まれない場合、既格納されたアップリンク制御領域割り当て情報を維持する過程と、
前記アップリンク制御領域割り当て情報が含まれている場合、前記既格納されたアップリンク制御領域割り当て情報を受信された資源割り当てメッセージに含まれたアップリンク制御領域割り当て情報に更新する過程とを含むことを特徴とする方法。
【請求項３０】
前記アップリンク制御領域は、レインジング領域、高速フィードバック領域、ＨＡＲＱ応答領域、サウンディング領域のうち、少なくとも一つを含むことを特徴とする請求項２９に記載の方法。
【請求項３１】
前記アップリンク制御領域割り当て情報が含まれない場合、既格納されたアップリンク制御領域割り当て情報に応じてシグナルリングを行う過程をさらに含むことを特徴とする請求項２９に記載の方法。
【請求項３２】
前記アップリンク制御領域割り当て情報が含まれる場合、前記受信された資源割り当てメッセージに含まれたアップリンク制御領域割り当て情報を利用して、アップリンクシグナルリングを行う過程をさらに含むことを特徴とする請求項２９に記載の方法。
【請求項３３】
前記アップリンク制御領域割り当て情報は、アップリンク制御領域割り当て情報の送信周期情報を含むことを特徴とする請求項２９に記載の方法。
【請求項３４】
前記アップリンク制御領域割り当て情報は、有効期間情報を含むことを特徴とする請求項２９に記載の方法。
【請求項３５】
前記有効期間情報は、アップリンク制御領域割り当て情報に含まれるＣＩＤを介して表現されることを特徴とする請求項３４に記載の方法。
【請求項３６】
アンテナを介して受信されるＲＦ帯域信号をベースバンド信号に変換する過程と、
ＦＦＴ演算により前記ベースバンド信号を周波数領域データに変換する過程と、
前記周波数領域データのうち、前記資源割り当てメッセージがマッピングされたデータを復調する過程と、
復調されたデータをデコードして、前記資源割り当てメッセージを発生させる過程とをさらに含むことを特徴とする請求項２９に記載の方法。
【請求項３７】
広帯域無線通信システムにおける基地局の動作方法であって、
アップリンク制御領域割り当て情報を含む放送メッセージを生成する過程と、
前記生成された放送メッセージを数フレームの間隔でブロードキャスト（Ｂｒｏａｄｃａｓｔｉｎｇ）する過程とを含むことを特徴とする方法。
【請求項３８】
前記放送メッセージは、ＵＣＤ（Ｕｐｌｉｎｋ  Ｃｈａｎｎｅｌ  Ｄｅｓｃｒｉｐｔｏｒ）メッセージであることを特徴とする請求項３７に記載の方法。
【請求項３９】
前記アップリンク制御領域は、レインジング領域、高速フィードバック領域、ＨＡＲＱ応答領域、サウンディング領域のうち、少なくとも一つを含むことを特徴とする請求項３７に記載の方法。
【請求項４０】
前記アップリンク制御領域割り当て情報は、
資源割り当て情報（Ａｌｌｏｃａｔｉｏｎ  ＩＥ）、アップリンク制御領域割り当て周期（Ｐｅｒｉｏｄｉｃｉｔｙ）情報、割り当て周期が適用される開始点を指定するための割り当てフェーズ（Ａｌｌｏｃａｔｉｏｎ  Ｐｈａｓｅ）情報のうち、少なくとも一つを含むことを特徴とする請求項３７に記載の方法。
【請求項４１】
前記ブロードキャスト過程は、
前記放送メッセージを符号化する過程と、
符号化されたデータを変調する過程と、
変調されたデータを予め決まった資源にマッピングする過程と、
ＩＦＦＴ演算によりマッピングされたデータをベースバンド信号に変換する過程と、
前記ベースバンド信号をＲＦ帯域の信号に変換して送信する過程とを含むことを特徴とする請求項３７に記載の方法。
【請求項４２】
広帯域無線通信システムにおける端末の動作方法であって、
数フレームの間隔でブロードキャストされる放送メッセージを受信する過程と、
前記放送メッセージを解読して、アップリンク制御領域割り当て情報を獲得する過程とを含むことを特徴とする方法。
【請求項４３】
前記放送メッセージは、ＵＣＤ（Ｕｐｌｉｎｋ  Ｃｈａｎｎｅｌ  Ｄｅｓｃｒｉｐｔｏｒ）メッセージであることを特徴とする請求項４２に記載の方法。
【請求項４４】
前記アップリンク制御領域は、レインジング領域、高速フィードバック領域、ＨＡＲＱ応答領域、サウンディング領域のうち、少なくとも一つを含むことを特徴とする請求項４２に記載の方法。
【請求項４５】
前記アップリンク制御領域割り当て情報は、
資源割り当て情報、アップリンク制御領域割り当て周期情報、割り当て周期が適用される開始点を指定するための割り当てフェーズ情報のうち、少なくとも一つを含むことを特徴とする請求項４２に記載の方法。
【請求項４６】
前記放送メッセージを受信したフレームから受信されたマップに同じアップリンク制御領域割り当て情報が含まれているか否かを確認する過程と、
前記マップに含まれたアップリンク制御領域割り当て情報と前記放送メッセージに含まれたアップリンク制御領域割り当て情報のうち、優先順位に応じて一つを選択する過程とをさらに含むことを特徴とする請求項４２に記載の方法。
【請求項４７】
前記放送メッセージにアップリンク制御領域割り当て情報が存在しない場合、基地局から受信されるマップを介してアップリンク制御領域割り当て情報を獲得する過程をさらに含むことを特徴とする請求項４２に記載の方法。
【請求項４８】
前記放送メッセージを受信する過程は、アンテナを介して受信されるＲＦ帯域信号をベースバンド信号に変換する過程と、
ＦＦＴ演算により前記ベースバンド信号を周波数領域データに変換する過程と、
前記周波数領域データのうち、前記放送メッセージ信号がマッピングされたデータを復調する過程と、
復調されたデータをデコードして前記放送メッセージを発生させる過程とを含むことを特徴とする請求項４２に記載の方法。
【請求項４９】
広帯域無線通信システムにおける基地局装置であって、
アップリンク制御領域割り当て情報を含む放送メッセージを生成する生成器と、
数フレームの間隔で前記放送メッセージをブロードキャストする送信部とを備えることを特徴とする装置。
【請求項５０】
前記放送メッセージは、ＵＣＤメッセージであることを特徴とする請求項４９に記載の装置。
【請求項５１】
前記アップリンク制御領域は、レインジング領域、高速フィードバック領域、ＨＡＲＱ応答領域、サウンディング領域のうち、少なくとも一つを含むことを特徴とする請求項４９に記載の装置。
【請求項５２】
前記アップリンク制御領域割り当て情報は、
資源割り当て情報、アップリンク制御領域割り当て周期情報、割り当て周期が適用される開始点を指定するための割り当てフェーズ情報のうち、少なくとも一つを含むことを特徴とする請求項４９に記載の装置。
【請求項５３】
前記送信部は、前記放送メッセージを符号化する符号化器と、
前記符号器からのデータを変調する変調器と、
前記変調器からのデータを予め決まった資源にマッピングするマッパーと、
ＩＦＦＴ演算によりマッピングされたデータをベースバンド信号に変換するＯＦＤＭ変調器と、
ベースバンド信号をＲＦ帯域の信号に変換して送信するＲＦ送信機とを備えることを特徴とする請求項４９に記載の装置。
【請求項５４】
広帯域無線通信システムにおける端末装置であって、
数フレームの間隔でブロードキャストされる放送メッセージを受信する受信部と、
前記放送メッセージを解読して、アップリンク制御領域割り当て情報を獲得する解読器とを備えることを特徴とする装置。
【請求項５５】
前記放送メッセージは、ＵＣＤメッセージであることを特徴とする請求項５４に記載の装置。
【請求項５６】
前記アップリンク制御領域は、レインジング領域、高速フィードバック領域、ＨＡＲＱ応答領域、サウンディング領域のうち、少なくとも一つを含むことを特徴とする請求項５４に記載の装置。
【請求項５７】
前記アップリンク制御領域割り当て情報は、資源割り当て情報、アップリンク制御領域割り当て周期情報、割り当て周期が適用される開始点を指定するための割り当てフェーズ情報のうち、少なくとも一つを含むことを特徴とする請求項５４に記載の装置。
【請求項５８】
前記解読器は、前記放送メッセージを受信したフレームから受信されたマップに同じアップリンク制御領域割り当て情報が含まれている場合、前記マップに含まれたアップリンク制御領域割り当て情報と前記放送メッセージに含まれたアップリンク制御領域割り当て情報とのうち、優先順位に応じて一つを選択することを特徴とする請求項５４に記載の装置。
【請求項５９】
前記解読器は、前記放送メッセージにアップリンク制御領域割り当て情報が存在しない場合、基地局から受信されるマップを介してアップリンク制御領域割り当て情報を獲得することを特徴とする請求項５４に記載の装置。
【請求項６０】
前記放送メッセージ及び前記マップに前記アップリンク制御領域割り当て情報が含まれない場合、既格納されたアップリンク制御領域割り当て情報に応じてシグナルリングを行う送信部をさらに備えることを特徴とする請求項５９に記載の装置。
【請求項６１】
前記放送メッセージ又は前記マップに前記アップリンク制御領域割り当て情報が含まれる場合、前記放送メッセージ又は前記マップに含まれたアップリンク制御領域割り当て情報を利用してアップリンクシグナルリングを行う送信部をさらに備えることを特徴とする請求項５９に記載の装置。
【請求項６２】
前記受信部は、アンテナを介して受信されるＲＦ帯域信号をベースバンド信号に変換するＲＦ受信機と、
ＦＦＴ演算により前記ベースバンド信号を周波数領域データに変換するＯＦＤＭ復調器と、
前記周波数領域データのうち、前記放送メッセージがマッピングされたデータを復調する復調器と、
復調されたデータをデコードして、前記放送メッセージを発生させる復号化器とを備えることを特徴とする請求項５４に記載の装置。
【請求項６３】
広帯域無線通信システムにおける基地局の動作方法であって、
アップリンク制御領域割り当て情報及び前記アップリンク制御領域割り当て情報の送信周期情報を含む放送メッセージを生成する過程と、
前記放送メッセージを端末にブロードキャストする過程とを含むことを特徴とする方法。
【請求項６４】
広帯域無線通信システムにおける端末の動作方法であって、
アップリンク制御領域割り当て情報及び前記アップリンク制御領域割り当て情報の送信周期情報を含む放送メッセージを受信する過程と、
前記放送メッセージを解読して、前記アップリンク制御領域割り当て情報を獲得する過程とを含むことを特徴とする方法。
【発明の詳細な説明】
【技術分野】
【０００１】
本発明は、広帯域無線通信システムに関し、特に広帯域無線通信システムにおける資源割り当て情報メッセージ量を減少させるための装置及び方法に関する。
【背景技術】
【０００２】
次世代通信システムである第４世代（４ｔｈ  Ｇｅｎｅｒａｔｉｏｎ：以下、４Ｇとする）通信システムでは、約１００Ｍｂｐｓの送信速度を利用して多様なサービス品質（Ｑｏｓ：Ｑｕａｌｉｔｙ  ｏｆ  Ｓｅｒｖｉｃｅ）を有するサービスをユーザに提供するための研究が盛んに進められている。特に、現在４Ｇ通信システムでは、無線近距離通信ネットワーク（Ｌｏｃａｌ  Ａｒｅａ  Ｎｅｔｗｏｒｋ：以下、ＬＡＮとする）システム及び無線メトロポリタンエリアネットワーク（Ｍｅｔｒｏｐｏｌｉｔａｎ  Ａｒｅａ  Ｎｅｔｗｏｒｋ：以下、ＭＡＮとする）システムのような広帯域無線アクセス（Ｂｒｏａｄｂａｎｄ  Ｗｉｒｅｌｅｓｓ  Ａｃｃｅｓｓ：ＢＷＡ）通信システムに移動性（ｍｏｂｉｌｉｔｙ）とサービス品質を保障する形態で高速サービスを支援するようにする研究が盛んに進められている。その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システムである。
【０００３】
前記８０２．１６の規格制定グループ（Ｗｏｒｋｉｎｇ  ｇｒｏｕｐ）のうち、無線通信規格として代表される規格は、８０２．１６ｄ、８０２．１６ｅであり、前記両規格は、さらに、シングルキャリア（Ｓｉｎｇｌｅ  Ｃａｒｒｉｅｒ）、直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、ＯＦＤＭＡとする）規格に分けられる。ここで、前記８０２．１６ｄ／ｅのＯＦＤＭＡ規格は、送信しなければならないデジタルビット情報を効果的に受信端に伝達するために、周波数資源及び時間資源を利用したダウンリンク及びアップリンクのフレーム構造及びいろいろな無線チャネル状況を考慮したフレーム内の資源割り当てについて定義している。
【０００４】
図１は、従来の技術によるＯＦＤＭＡ通信システムのフレーム構造を示している。
【０００５】
図１に示すように、ＯＦＤＭＡ規格で用いられるフレームは、アップリンク（Ｕｐｌｉｎｋ）フレーム１２０とダウンリンク（Ｄｏｗｎｌｉｎｋ）フレーム１１０とに区分される。
【０００６】
ダウンリンクフレーム１１０は、プリアンブル（Ｐｒｅａｍｂｌｅ）１１１、フレーム制御ヘッダ（Ｆｒａｍｅ  Ｃｏｎｔｒｏｌ  Ｈｅａｄｅｒ；以下、ＦＣＨとする）１１３、ダウンリンクマップ（Ｄｏｗｎｌｉｎｋ−ＭＡＰ、以下、ＤＬ−ＭＡＰとする）１１５、アップリンクマップ（Ｕｐｌｉｎｋ−ＭＡＰ、以下、ＵＬ−ＭＡＰとする）１１７、ダウンリンクデータバースト（Ｂｕｒｓｔ）１１９を備えて構成される。
【０００７】
プリアンブル１１１は、端末の初期同期獲得及びセルサーチに用いられる情報のための領域であり、ＦＣＨ１１３は、ＤＬ−ＭＡＰ１１５とＵＬ−ＭＡＰ１１７とのコーディング（Ｃｏｄｉｎｇ）方法を表す領域である。また、ＤＬ−ＭＡＰ１１５は、ダウンリンクバースト１１９の端末別資源割り当て情報メッセージを表す領域で、ＵＬ−ＭＡＰ１１７は、アップリンクフレームの制御情報１２１及びアップリンクデータバースト１２３の端末ごとの資源割り当て情報メッセージを表す領域である。そして、ダウンリンクバースト１１９は、基地局から端末にユーザデータを送信するための領域である。
【０００８】
アップリンクフレーム１２０は、制御情報領域１２１とアップリンクデータバースト１２３とを備えて構成される。
【０００９】
制御情報領域１２１は、端末から基地局への通信に必要な制御情報を基地局に送信するための領域で、アップリンクデータバースト１２３は、端末から基地局へユーザデータを送信するための領域である。
【００１０】
ここで、制御情報領域１２１は、レインジング（Ｒａｎｇｉｎｇ）チャネル１５１、チャネル品質情報（Ｃｈａｎｎｅｌ  Ｑｕａｌｉｔｙ  Ｉｎｆｏｒｍａｔｉｏｎ；以下、ＣＱＩとする）チャネル１５３、アク（Ａｃｋｎｏｗｌｅｄｇｅ、以下、ＡＣＫとする）チャネル１５５及びサウンディング（Ｓｏｕｎｄｉｎｇ）チャネル１５７を備えて構成される。
【００１１】
レインジングチャネル１５１は、端末が基地局からの資源割り当て無しで基地局にデータを送信できる領域であって、ネットワーク初期接続を行うか、ハンドオフ（Ｈａｎｄｏｆｆ）を要請するか、又は資源割り当てを要請する場合に用いられる。ＣＱＩチャネル１５３は、端末が基地局にダウンリンクチャネルの状況を知らせるために用いられる領域である。また、ＡＣＫチャネル１５５は、端末がダウンリンクデータバーストの成功的な受信の有無を基地局に知らせるために用いられる領域で、サウンディングチャネル１５７は、基地局が端末のチャネル情報を得るための領域である。
【発明の概要】
【発明が解決しようとする課題】
【００１２】
上述したフレーム構造を使用するＯＦＤＭＡシステムにおいて、資源割り当て情報メッセージを表すマップ領域とユーザデータバーストが同じフレーム内に構成される構造によって、マップ情報とデータバーストとは、資源占有を競争するようになる。換言すると、マップ情報の量が多いほど、ユーザバーストに割り当てる資源が減るようになる。また、フレーム構造は、動的に変更可能であるが、実際のシステム使用時にフレーム構造が変化する場合は稀である。特に、アップリンクフレーム１２０の制御情報１２１の場合、毎フレームが同じ構造を維持する特性が強く現れる。したがって、毎フレームごとに同じ内容の資源割り当て情報メッセージを送信することで、データバーストに割り当てる資源が減少して、全体的なシステムの送信率が低くなるという問題点がある。
【００１３】
本発明の目的は、上述した問題点及び短所を解決し、以下の利点を提供することにある。すなわち、本発明の目的は、広帯域無線通信システムにおいて資源割り当て情報メッセージのオーバーヘッドを減少させるための装置及び方法を提供することにある。
【００１４】
本発明の他の目的は、広帯域無線通信システムにおいて特定領域の資源割り当て情報メッセージを周期的に送信することによって、ユーザデータの送信率を増大させるための装置及び方法を提供することにある。
【課題を解決するための手段】
【００１５】
上記の目的を達成すべく、本発明の一見地によると、広帯域無線通信システムにおける基地局装置は、アップリンク制御領域割り当て情報を生成するか否かを判断するスケジューラと、スケジューラの判断に応じてアップリンク制御領域割り当て情報を生成する生成器と、を備えることを特徴とする。
【００１６】
上記の目的を達成すべく、本発明の他の一見地によると、広帯域無線通信システムにおける端末装置は、資源割り当てメッセージを受信する受信部と、資源割り当てメッセージにアップリンク制御領域割り当て情報が含まれない場合、既格納されたアップリンク制御領域割り当て情報を維持し、資源割り当てメッセージにアップリンク制御領域割り当て情報が含まれる場合、既格納されたアップリンク制御領域割り当て情報を受信された資源割り当てメッセージに含まれたアップリンク制御領域割り当て情報に更新する解読部とを備えることを特徴とする。
【００１７】
上記の目的を達成すべく、本発明の他の一見地によると、広帯域無線通信システムにおける基地局の動作方法は、アップリンク制御領域割り当て情報を生成するか否かを判断する過程と、生成の判断結果に応じて、アップリンク制御領域割り当て情報を生成する過程とを含むことを特徴とする。
【００１８】
上記の目的を達成すべく、本発明の他の一見地によると、広帯域無線通信システムにおける端末の動作方法は、資源割り当てメッセージが受信されると、資源割り当てメッセージにアップリンク制御領域割り当て情報が含まれているか否かを確認する過程と、アップリンク制御領域割り当て情報が含まれない場合、既格納されたアップリンク制御領域割り当て情報を維持する過程と、アップリンク制御領域割り当て情報が含まれている場合、既格納されたアップリンク制御領域割り当て情報を受信された資源割り当てメッセージに含まれたアップリンク制御領域割り当て情報に更新する過程とを含むことを特徴とする。
【００１９】
上記の目的を達成すべく、本発明の他の一見地によると、広帯域無線通信システムにおける端末の動作方法は、数フレームの間隔でブロードキャストされる放送メッセージを受信する過程と、放送メッセージを解読して、アップリンク制御領域割り当て情報を獲得する過程とを含むことを特徴とする。
【００２０】
上記の目的を達成すべく、本発明の他の一見地によると、広帯域無線通信システムにおける基地局装置は、アップリンク制御領域割り当て情報を含む放送メッセージを生成する生成器と、数フレームの間隔で放送メッセージをブロードキャストする送信部とを備えることを特徴とする。
【００２１】
上記の目的を達成すべく、本発明の他の一見地によると、広帯域無線通信システムにおける端末装置は、数フレームの間隔でブロードキャストされる放送メッセージを受信する受信部と、放送メッセージを解読して、アップリンク制御領域割り当て情報を獲得する解読器とを備えることを特徴とする。
【００２２】
上記の目的を達成すべく、本発明の他の一見地によると、広帯域無線通信システムにおける基地局の動作方法は、アップリンク制御領域割り当て情報及びアップリンク制御領域割り当て情報の送信周期情報を含む放送メッセージを生成する過程と、放送メッセージを端末にブロードキャストする過程とを含むことを特徴とする。
【００２３】
上記の目的を達成すべく、本発明の他の一見地によると、広帯域無線通信システムにおける端末の動作方法は、アップリンク制御領域割り当て情報及びアップリンク制御領域割り当て情報の送信周期情報を含む放送メッセージを受信する過程と、放送メッセージを解読して、アップリンク制御領域割り当て情報を獲得する過程とを含むことを特徴とする。
【図面の簡単な説明】
【００２４】
【図１】従来の技術による直交周波数分割接続通信システムのフレーム構造を示す図である。
【図２】本発明による広帯域無線通信システムにおける送信機のブロック構成を示す図である。
【図３】本発明による広帯域無線通信システムにおける受信機のブロック構成を示す図である。
【図４】本発明の第１の実施の形態による広帯域無線通信システムの基地局で資源割り当て情報メッセージを生成するための手順を示す図である。
【図５】本発明の第１の実施の形態による広帯域無線通信システムの端末で資源割り当て情報メッセージを確認するための手順を示す図である。
【図６】本発明の第２の実施の形態による広帯域無線通信システムの基地局で資源割り当て情報メッセージを生成するための手順を示す図である。
【図７】本発明の第２の実施の形態による広帯域無線通信システムの端末で資源割り当て情報メッセージを確認するための手順を示す図である。
【図８】本発明の第３の実施の形態による広帯域無線通信システムの端末で資源割り当て情報メッセージを確認するための手順を示す図である。
【発明を実施するための形態】
【００２５】
以下、本発明の好ましい実施の形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
【００２６】
以下、本発明は、広帯域無線通信システムにおいて資源割り当て情報メッセージのオーバーヘッドを減少させてシステムの送信率を増大させるための装置及び方法について説明する。以下の説明で広帯域無線通信システムは、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、ＯＦＤＭＡとする）システムを例に挙げて説明する。
【００２７】
図２は、本発明によるＯＦＤＭＡシステムにおける基地局の送信機のブロック構成を示している。
【００２８】
図２に示すように、送信機は、スケジューラ２０１、マップ（ＭＡＰ）生成器２０３、チャネル符号化器２０５、変調器２０７、資源マッパー２０９、ＯＦＤＭ変調器２１１、ＤＡＣ（Ｄｉｇｉｔａｌ  ｔｏ  Ａｎａｌｏｇ  Ｃｏｎｖｅｒｔｅｒ）２１３及びＲＦ（Ｒａｄｉｏ  Ｆｒｅｑｕｅｎｃｙ）送信機２１５を備えて構成される。
【００２９】
スケジューラ２０１は、ダウンリンク（Ｄｏｗｎｌｉｎｋ）でのデータバースト領域、アップリンク（Ｕｐｌｉｎｋ、以下、ＵＬとする）でのデータバースト領域及び制御領域の資源割り当てスケジュール情報を生成する。ここで、制御領域は、レインジングチャネル、ＣＱＩ（Ｃｈａｎｎｅｌ  Ｑｕａｌｉｔｙ  Ｉｎｆｏｒｍａｔｉｏｎ）チャネル、ＡＣＫ（Ａｃｋｎｏｗｌｅｄｇｅ）チャネル及びサウンディングチャネルを含む。ＣＱＩチャネルは、高速フィードバック（Ｆａｓｔ  Ｆｅｅｄｂａｃｋ）チャネルに相当する。特に、スケジューラ２０１は、ＵＬ制御領域割り当て情報を生成するか否かを判断して、マップ生成器に提供する。ここで、ＵＬ制御領域割り当て情報の生成有無の判断対象は、ＵＬ制御領域の全体であるか、又はＵＬ制御領域のうちの一部でありうる。スケジューラ２０１は、ＵＬ制御領域割り当て情報を生成する周期になるか、又はＵＬ制御領域割り当て情報が変更された場合に、ＵＬ制御領域割り当て情報が生成されるように制御する。ここで、ＵＬ制御領域割り当て情報が変更された場合、予め決まった個数分の連続したフレームにおいて、それぞれ当該ＵＬ制御領域割り当て情報が生成されるように制御する。
【００３０】
マップ生成器２０３は、スケジューラ２０１から資源割り当てスケジュール情報を提供されて、マップメッセージを生成する。特に、本発明において、マップ生成器２０３は、スケジューラ２０１から提供されるＵＬ制御領域割り当て情報の生成の有無に応じて、マップメッセージを生成する。すなわち、ＵＬ制御領域割り当て情報が生成された場合には、マップ生成器２３０は、ＵＬ制御領域割り当て情報を含むマップメッセージを生成する。反面、ＵＬ制御領域割り当て情報が生成されなかった場合には、マップ生成器２３０は、ＵＬ制御領域割り当て情報を含まないマップメッセージを生成する。また、ＵＬ制御領域割り当て情報を含む場合、マップ生成器２３０は、ＵＬ制御領域割り当て情報の有効期間情報を生成して、マップメッセージに含める。
【００３１】
チャネル符号化器２０５は、マップ生成器２０３から提供された資源割り当て情報メッセージを該当符号化率でエンコード（Ｅｎｃｏｄｉｎｇ）する。変調器２０７は、チャネル符号化器２０５から提供された符号化されたデータを該当変調方式（例えばＱＰＳＫ（Ｑｕｄｒａｔｕｒｅ  Ｐｈａｓｅ  Ｓｈｉｆｔ  Ｋｅｙｉｎｇ））に従ってシンボルに変調する。
【００３２】
資源マッパー２０９は、変調器２０７から提供されたシンボルをフレーム構造に従ってマッピングする。すなわち、フレームで用いられる副搬送波にシンボルをマッピングする。ＯＦＤＭ変調器２１１は、資源マッパー２０９から提供された周波数領域にマッピングされたシンボルをＩＦＦＴ（Ｉｎｖｅｒｓｅ  Ｆａｓｔ  Ｆｏｕｒｉｅｒ  Ｔｒａｎｓｆｏｒｍ）演算して、時間領域信号に変換する。
【００３３】
ＤＡＣ２１３は、ＯＦＤＭ変調器２１１から提供された生成された時間領域信号をアナログ信号に変換する。ＲＦ送信機２１５は、ＤＡＣ２１３から提供された信号を搬送波周波数に変換して、アンテナを介して送信する。
【００３４】
図３は、本発明による広帯域無線通信システムにおける端末の受信機のブロック構成を示している。
【００３５】
図３に示すように、受信機は、ＲＦ受信機３０１、ＡＤＣ（Ａｎａｌｏｇ−Ｄｉｇｉｔａｌ  Ｃｏｎｖｅｒｔｏｒ）３０３、ＯＦＤＭ復調器３０５、マップ抽出器３０７、復調器３０９、チャネル復号化器３１１及びマップ解読器３１３を備えて構成される。
【００３６】
ＲＦ受信機３０１は、アンテナを介して受信されたＲＦ信号をベースバンド信号に変換する。ＡＤＣ３０３は、ＲＦ受信機３０１から提供されるベースバンド信号をデジタル信号に変換する。
ＯＦＤＭ復調器３０５は、ＡＤＣ３０３から提供される時間領域信号をＦＦＴ（Ｆａｓｔ  Ｆｏｕｒｉｅｒ  Ｔｒａｎｓｆｏｒｍ）演算して、周波数領域信号に変換する。マップ抽出器３０７は、ＯＦＤＭ復調器３０５から提供される信号からマップ信号を区分して抽出する。
【００３７】
復調器３０９は、マップ抽出器３０５から提供されるマップ信号を該当復調方式に従ってデータに復調する。チャネル復号化器３１１は、復調器３０９から提供されたマップデータを該当符号化率でデコード（Ｄｅｃｏｄｉｎｇ）する。
【００３８】
マップ解読器３１３は、チャネル符号化器３１１から提供されるマップ情報を解析して、端末が使用できる資源情報を更新する。特に、本発明において、マップ解読器３１３は、マップ情報にＵＬ制御領域割り当て情報が含まれているか否かを確認して、確認された結果に応じて格納された制御領域割り当て情報を更新する。すなわち、マップ情報にＵＬ制御領域割り当て情報が含まれていると、マップ解読器３１３は、既に格納されているＵＬ制御領域割り当て情報を新しいＵＬ制御領域割り当て情報に修正する。反面、マップ情報にＵＬ制御領域割り当て情報が含まれていないと、既存のＵＬ制御領域割り当て情報を維持する。また、マップメッセージに有効期間情報が含まれている場合、マップ解読器３１３は、有効期間が満了しても、新しいＵＬ制御領域割り当て情報が受信されないと、格納されたＵＬ制御領域割り当て情報を廃棄する。ここで、ＵＬ制御領域は、レインジングチャネル、ＣＱＩチャネル、ＡＣＫチャネル及びサウンディングチャネルを含む。ＣＱＩチャネルは、高速フィードバック（Ｆａｓｔ  Ｆｅｅｄｂａｃｋ）チャネルに相当する。
【００３９】
また、図示していないが、制御信号送信部は、受信されたＵＬ制御領域割り当て情報を利用して、基地局にＵＬシグナルリング（例：Ｒａｎｇｉｎｇ、ＣＱＩ、ＡＣＫ等）を行う。
【００４０】
図４は、本発明の第１の実施の形態による広帯域無線通信システムの基地局で資源割り当て情報メッセージを生成するための手順を示している。
【００４１】
図４に示すように、まずマップ生成器２０３は、ステップ４０１にてマップを生成する時点であるか否かを確認する。
【００４２】
マップを生成する時点であると、マップ生成器２０３は、ステップ４０３に進んでアップリンク及びダウンリンクの資源割り当てスケジュールを確認する。
【００４３】
その後、マップ生成器２０３は、ステップ４０５に進んで、確認した資源割り当てスケジュール中のＵＬ制御領域割り当て情報と最近送信したＵＬ制御領域割り当て情報とを比較して、変更されたか否かを確認する。ここで、ＵＬ制御領域は、レインジングチャネル、ＣＱＩチャネル、ＡＣＫチャネル及びサウンディングチャネルを含む。ＣＱＩチャネルは、高速フィードバックチャネルに相当する。
【００４４】
ＵＬ制御領域割り当て情報が変更された場合には、マップ生成器２０３は、ステップ４０７に進んでＵＬ制御領域割り当て情報が変更された後の経過したフレーム数（ｍ）を０に設定する。
【００４５】
ｍの値を０に設定した後、マップ生成器２０３は、ステップ４０９に進んで変更されたＵＬ制御領域割り当て情報を含むマップメッセージを生成する。ここで、ＵＬ制御領域割り当て情報の生成有無の判断対象は、ＵＬ制御領域の全体であるか、又はＵＬ制御領域のうちの一部でありうる。
【００４６】
ステップ４０５にて、ＵＬ制御領域割り当て情報が変更されていない場合、マップ生成器２０３は、ステップ４１１に進んでＵＬ制御領域割り当て情報を生成する周期になったか否かを確認する。換言すると、ＵＬ制御領域割り当て情報を含むマップ送信後に、ＵＬ制御領域割り当て情報を含まないマップが連続的に送信された回数を確認して、その回数が予め決まった周期と一致しているか否かを確認する。ここで、前記周期は、システムの設定に応じて決定される変数である。
【００４７】
ＵＬ制御領域割り当て情報の生成周期である場合には、マップ生成器２０３は、ステップ４０９に進んでステップ４０３にて確認されたＵＬ制御領域割り当て情報を含むマップメッセージを生成する。
【００４８】
反面、ＵＬ制御領域割り当て情報の生成周期ではない場合には、マップ生成器２０３は、ｍの値を１増加させる。
【００４９】
ｍの値を１増加させた後、ＵＬ制御領域割り当て情報の生成周期ではない場合、マップ生成器２０３は、ステップ４１５に進んでｍの値とＮの値とを比較する。ここで、Ｎは、端末の変更されたＵＬ制御領域割り当て情報の受信を保障するための変数であって、ＵＬ制御領域割り当て情報が連続的に送信されるフレーム数である。すなわち、変更されたＵＬ制御領域割り当て情報は、変更された時点から連続したフレームを介してＮ回連続的に送信される。ここで、Ｎは、システムの設定に応じて決定される変数である。
【００５０】
ｍの値がＮの値より小さいと、マップ生成器２０３は、ステップ４０９に進んでステップ４０３にて確認されたＵＬ制御領域割り当て情報を含むマップメッセージを生成する。
【００５１】
反面、ｍの値がＮの値より大きいか、又は同じであると、マップ生成器２０３は、ステップ４１７に進んでＵＬ制御領域割り当て情報を含まないマップメッセージを生成する。
【００５２】
図５は、本発明の第１の実施の形態による広帯域無線通信システムの端末で資源割り当て情報メッセージを確認するための手順を示している。
【００５３】
図５に示すように、まずマップ解読器３１３は、ステップ５０１にてマップが受信されているか否かを確認する。
【００５４】
マップが受信されると、マップ解読器３１３は、ステップ５０３に進んで受信されたマップにＵＬ制御領域割り当て情報が存在しているか否かを確認する。ここで、ＵＬ制御領域は、レインジングチャネル、ＣＱＩチャネル、ＡＣＫチャネル及びサウンディングチャネルを含む。ＣＱＩチャネルは、高速フィードバックチャネルに相当する。
【００５５】
受信されたマップにＵＬ制御領域割り当て情報が存在する場合には、マップ解読器３１３は、ステップ５０５に進んで既に格納されているＵＬ制御領域割り当て情報を受信されたＵＬ制御領域割り当て情報に修正する。
【００５６】
反面、受信されたマップにＵＬ制御領域割り当て情報が存在しない場合には、マップ解読器３１３は、ステップ５０７に進んで既に格納されているＵＬ制御領域割り当て情報を維持する。
【００５７】
その後、マップ解読器３１３は、ステップ５０９に進んでデータバースト領域情報を確認した後、本手順を終了する。
【００５８】
図６は、本発明の第２の実施の形態による広帯域無線通信システムの基地局で資源割り当て情報メッセージを生成するための手順を示している。
【００５９】
図６に示すように、まずマップ生成器２０３は、ステップ６０１にてマップを生成する時点であるか否かを確認する。
【００６０】
マップを生成する時点である場合には、マップ生成器２０３は、ステップ６０３に進んでアップリンク及びダウンリンクの資源割り当てスケジュールを確認する。
【００６１】
その後、マップ生成器２０３は、ステップ６０５に進んで、確認した資源割り当てスケジュールのうちのＵＬ制御領域割り当て情報と最近送信したＵＬ制御領域割り当て情報とを比較して、変更されたか否かを確認する。ここで、ＵＬ制御領域は、レインジングチャネル、ＣＱＩチャネル、ＡＣＫチャネル及びサウンディングチャネルを含む。ＣＱＩチャネルは、高速フィードバックチャネルに相当する。
【００６２】
ＵＬ制御領域割り当て情報が変更された場合、マップ生成器２０３は、ステップ６０７に進んでＵＬ制御領域割り当て情報の使用有効期間情報を生成する。すなわち、ＵＬ制御領域割り当て情報を周期的に送信する場合、一度送信されたＵＬ制御領域割り当て情報は、一周期が過ぎると、信頼できない情報となる。したがって、マップ生成器２０３は、周期を端末に知らせるために、有効期間情報を生成する。
【００６３】
その後、マップ生成器２０３は、ステップ６０９に進んで、変更されたＵＬ制御領域割り当て情報及び有効期間情報を含むマップメッセージを生成する。ここで、ＵＬ制御領域割り当て情報の生成の有無の判断対象は、ＵＬ制御領域の全体であるか、又はＵＬ制御領域のうちの一部でありうる。
【００６４】
反面、ステップ６０５にてＵＬ制御領域割り当て情報が変更されない場合、マップ生成器２０３は、ステップ６１１に進んでＵＬ制御領域割り当て情報を生成する周期になったか否かを確認する。換言すると、ＵＬ制御領域割り当て情報を含むマップ送信以後に、ＵＬ制御領域割り当て情報を含まないマップが何回送信されたかを確認して、送信回数が上記の周期と一致しているか否かを確認する。ここで、上記の周期は、システムの設定に応じて決定される変数である。
【００６５】
ＵＬ制御領域割り当て情報の生成周期ではないと、マップ生成器２０３は、ステップ６１３に進んでＵＬ制御領域割り当て情報を含まないマップメッセージを生成する。
【００６６】
図７は、本発明の第２の実施の形態による広帯域無線通信システムの端末で資源割り当て情報メッセージを確認するための手順を示している。
【００６７】
図７に示すように、まずマップ解読器３１３は、ステップ７０１にてマップが受信されているか否かを確認する。
【００６８】
マップが受信されると、マップ解読器３１３は、ステップ７０３に進んで受信されたマップにＵＬ制御領域割り当て情報が存在しているか否かを確認する。ここで、ＵＬ制御領域は、レインジングチャネル、ＣＱＩチャネル、ＡＣＫチャネル及びサウンディングチャネルを含む。ＣＱＩチャネルは、高速フィードバックチャネルに相当する。
【００６９】
受信されたマップにＵＬ制御領域割り当て情報が存在する場合には、マップ解読器３１３は、ステップ７０５に進んで既に格納されているＵＬ制御領域割り当て情報を受信されたＵＬ制御領域割り当て情報に修正する。
【００７０】
反面、受信されたマップにＵＬ制御領域割り当て情報が存在しない場合には、マップ解読器３１３は、ステップ７０７に進んで以前に受信されたＵＬ制御領域割り当て情報が格納されているか否かを確認する。
【００７１】
以前に受信されたＵＬ制御領域割り当て情報が格納されていると、マップ解読器３１３は、ステップ７０９に進んで格納されたＵＬ制御領域割り当て情報の使用有効期間を確認する。
【００７２】
ＵＬ制御領域割り当て情報が有効である場合、マップ解読器３１３は、ステップ７１１に進んで既存のＵＬ制御領域割り当て情報を維持する。
【００７３】
反面、ＵＬ制御領域割り当て情報が有効でない場合、マップ解読器３１３は、ステップ７１３に進んで既存のＵＬ制御領域割り当て情報を削除する。ここで、ＵＬ制御領域割り当て情報を削除することは、有効期間を超過したＵＬ制御領域割り当て情報を信頼できないから、ＵＬ制御領域割り当て情報が明示する領域を使用しないためである。上述した削除する方式以外の他の方式として、端末内に有効であるか否かを指示するフラグ（Ｆｌａｇ）を設定する方式、又は端末がＵＬ制御領域の使用時に有効期間を毎回確認する方式も可能である。
【００７４】
その後、マップ解読器３１３は、ステップ７１５に進んでデータバースト領域情報を確認する。
【００７５】
上述した実施の形態では、ＵＬ制御領域割り当て情報を周期的に生成して、マップメッセージに含める手順について説明した。ここで、マップメッセージは、ＵＬ制御領域全体に対する割り当て情報を含む。また、ＵＬ制御領域全体に対する割り当て情報を含むのではなく、ＵＬ制御領域のうち、特定領域（例：レインジング領域）の割り当て情報のみを含むマップメッセージを生成することもできる。
【００７６】
本発明のさらに他の実施の形態としては、基地局でマップ情報を生成する時、ＵＬ制御領域ごとに有効期間を表す指示子を具備する方式がある。一例として、ＵＬ−ＭＡＰ＿ＩＥに含まれるＣＩＤ値が該当ＵＬ−ＭＡＰ＿ＩＥに含まれた割り当て情報の有効期間指示子として使用されることができる。例えば、初期レインジング領域情報を表すＵＬ−ＭＡＰ＿ＩＥを考慮すると、基地局が初期レインジング領域情報を表すＵＬ−ＭＡＰ＿ＩＥに含まれたＣＩＤを「００００」に設定した場合、これは、以後の初期レインジング領域情報が新しく送信されるまで有効であるという意味で使用されることができる。そして、基地局が初期レインジング領域を表すＵＬ−ＭＡＰ＿ＩＥに含まれたＣＩＤを「ｆｆｆｆ」に設定した場合、これは、初期レインジング領域情報がＵＬ−ＭＡＰ＿ＩＥを受信した時点のフレームでのみ有効であるという意味で使用されることができる。すなわち、上述した第２の実施の形態での有効期間情報を表すために、ＵＬ−ＭＡＰ＿ＩＥに含まれるＣＩＤが使用されることができる。換言すると、ＣＩＤが「００００」である場合、有効期間は、該当情報が新しく受信するまでのフレーム区間であり、ＣＩＤが「ｆｆｆｆ」である場合、有効期間は、一つのフレームである。
【００７７】
本発明のさらに他の実施の形態としては、ＵＬ制御領域割り当て情報を放送メッセージで送信する方式である。ここで、放送メッセージは、毎フレームは送信されない特性を有する放送メッセージを意味する。例えば、下記の表１のようなＴＬＶ（Ｔｙｐｅ  Ｌｅｎｇｔｈ  Ｖａｌｕｅ）を追加したＵＣＤ（Ｕｐｌｉｎｋ  Ｃｈａｎｎｅｌ  Ｄｅｓｃｒｉｐｔ）メッセージが使用されることができる。
【００７８】
【表１】
2009543429.tif 000003
放送メッセージは、表１に表した情報のうち、少なくとも一つのＵＬ制御領域割り当て情報を含むことができる。すなわち、放送メッセージは、レインジング領域（初期レインジング領域、ハンドオーバレインジング領域、周期的レインジング領域、帯域幅要請レインジング領域等）、ＣＱＩがフィードバックされる高速フィードバック領域（Ｆａｓｔ  Ｆｅｅｄｂａｃｋ  ｒｅｇｉｏｎ）、ハイブリッドＡＲＱの応答信号がフィードバックされるＨＡＲＱ  Ａｃｋ領域、サウンディング信号が送信されるサウンディング領域の割り当て情報を含むことができる。このとき、各ＵＬ制御領域割り当て情報は、資源割り当て情報要素（Ａｌｌｏｃａｔｉｏｎ  ＩＥ）、ＵＬ制御領域割り当て周期（Ｐｅｒｉｏｄｉｃｉｔｙ）情報、割り当て周期が適用される開始点を指定するための割り当てフェーズ（Ａｌｌｏｃａｔｉｏｎ  Ｐｈａｓｅ）情報を含むことができる。ここで、割り当て周期情報は、割り当て周期を２ｄ個フレームで表現した場合のｄ値で表現されることができ、割り当てフェーズ情報は、フレーム個数で表現されることができる。各ＵＬ制御領域割り当て情報を表１と対比すると、資源割り当て情報は、「Ａｌｌｏｃａｔｉｏｎ  ＩＥ」、割り当て周期情報は、「Ｐａｒａｍｅｔｅｒ  ｄ  ｔｈａｔ  ｄｅｆｉｎｅｓ  ｐｅｒｉｏｄｉｃｉｔｙ  ｉｎ  ２＾ｄ  Ｆｒａｍｅｓ」、割り当てフェーズ情報は、「Ａｌｌｏｃａｔｉｏｎ  ｐｈａｓｅ  ｅｘｐｒｅｓｓｅｄ  ｉｎ  ｆｒａｍｅｓ」と対応される。
【００７９】
基地局は、同時にＵＬマップでもＵＬ制御領域割り当て情報を表示することができる。ＵＣＤのＵＬ制御領域割り当て情報とＵＬマップのＵＬ制御領域割り当て情報とが相異なる場合、端末は、両方のうち、優先順位の高い情報を反映する。優先順位は、ＵＣＤ又は、ＵＬマップのいずれでも可能である。ＵＣＤに該当ＴＬＶがない場合には、ＵＬ制御領域割り当て情報は、ＵＬマップを参照して確認される。上述したように、放送メッセージを利用すると、マップオーバーヘッドが減少するので、ダウンリンクトラフィック（Ｔｒａｆｆｉｃ）の容量が増大する。
【００８０】
図８は、本発明の第３の実施の形態による広帯域無線通信システムの端末で資源割り当て情報メッセージを確認するための手順を示している。下の説明では、ＵＣＤとＵＬマップのＵＬ制御領域割り当て情報とが衝突する場合、ＵＬマップに優先順位をおいた場合の例を説明する。
【００８１】
図８に示すように、マップ解読器３１３は、ステップ８０１にて受信されたフレームにマップが存在しているか否かを確認する。
【００８２】
マップが存在すると、マップ解読器３１３は、ステップ８０３に進んでマップのＣＲＣ（Ｃｙｃｌｉｃ  Ｒｅｄａｎｄｕｎｃｙ  Ｃｈｅｃｋｉｎｇ）を行って、マップが正常に受信されたか否かを確認する。
【００８３】
マップが正常でない場合には、マップ解読器３１３は、ステップ８０５に進んで該当フレームの間に端末が動作できないように制御する。
【００８４】
反面、マップが正常である場合には、マップ解読器３１３は、ステップ８０７に進んでマップにＵＬ制御領域割り当て情報が存在しているか確認する。
【００８５】
ＵＬ制御領域割り当て情報が存在すると、マップ解読器３１３は、ステップ８０９に進んで使用中のＵＬ制御領域割り当て情報を変更する。
【００８６】
その後、マップ解読器３１３は、ステップ８１１に進んで変更されたＵＬ制御領域割り当て情報を格納する。すなわち、既に格納されているＵＬ制御領域割り当て情報が新しいＵＬ制御領域割り当て情報に更新される。
【００８７】
ステップ８０３にて、ＵＬ制御領域割り当て情報が存在しないと、マップ解読器３０３は、ステップ８１３にてＵＣＤにＵＬ制御領域割り当て情報が存在しているか否かを確認する。
【００８８】
ＵＣＤにＵＬ制御領域割り当て情報が存在する場合には、マップ解読器３１３は、ステップ８１１に進んでＵＣＤに存在するＵＬ制御領域割り当て情報を格納する。すなわち、既に格納されているＵＬ制御領域割り当て情報が新しいＵＬ制御領域割り当て情報に更新される。
【００８９】
ＵＬ制御領域割り当て情報を格納した後、マップ解読器３１３は、ステップ８１５に進んで該当端末のマップ情報要素（ＭＡＰ  ＩＥ（Ｉｎｆｏｒｍａｔｉｏｎ  Ｅｌｅｍｅｎｔ））を獲得する。
【００９０】
上述したように、広帯域無線通信システムにおいて基地局から端末に送信される資源割り当て情報メッセージのうち、特定領域の資源割り当て情報メッセージを周期的に送信することによって、資源割り当て情報メッセージの大きさを減少させて、ユーザデータの送信率を増大させることができる。
【００９１】
以上、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【図１】
2009543429.tif 000004
【図２】
2009543429.tif 000005
【図３】
2009543429.tif 000006
【図４】
2009543429.tif 000007
【図５】
2009543429.tif 000008
【図６】
2009543429.tif 000009
【図７】
2009543429.tif 000010
【図８】
2009543429.tif 000011
【国際調査報告】
2009543429.tif 000012
2009543429.tif 000013